(57)【特許請求の範囲】
【請求項１】
空気調和機本体に取り付けられた複数の吊り具に横方向に長い長孔が形成され、各長孔毎に、天井裏の所定の固定箇所に固定された空気調和機吊り下げ用の吊りボルトがそれぞれ挿通され、前記吊りボルトと吊り具とをそれぞれ固定させることにより空気調和機が吊り下げられた姿勢で支持される天井埋込形空気調和機であって、前記吊り具に、この吊り具と吊りボルトとを固定する固定部分間のピッチを示す目盛りを設けた天井埋込形空気調和機。
【請求項２】
空気調和機本体に取り付けられた複数の吊り具に横方向に長い長孔が形成され、各長孔毎に、天井裏の所定の固定箇所に固定された空気調和機吊り下げ用の吊りボルトがそれぞれ挿通され、前記吊りボルトと吊り具とをそれぞれ固定させることにより空気調和機が吊り下げられた姿勢で支持される天井埋込形空気調和機であって、空気調和機本体の側面に、前記吊り具と吊りボルトとを固定する固定部分間のピッチを示す目盛りを設けた天井埋込形空気調和機。
【請求項３】
目盛りは、吊り具の長孔が形成されている横方向に沿う方向に形成されている請求項１または２に記載の天井埋込形空気調和機。
【請求項４】
目盛りに、吊り具と吊りボルトとを固定する固定部分間のピッチを具体的に示す目盛り数字部が付加されている請求項１〜３の何れかに記載の天井埋込形空気調和機。
【発明の詳細な説明】
【０００１】
【発明の属する技術分野】
本発明は、天井内に埋め込まれる天井埋込形空気調和機の吊り構造に関するものである。
【０００２】
【従来の技術】
従来の天井埋込形空気調和機の吊り構造を図６、図７を用いて説明する。１は空気調和機本体、２は空気調和機本体１に対となって複数設けられた金属製の吊り具、３は吊り具２に設けられている長孔、５は天井裏ベース８に対となって取り付けられた複数の吊りボルト、６および７は各吊り具２と吊りボルト５とをそれぞれ固定するナットおよびワッシャ、９は化粧グリルである。
【０００３】
この種の吊り具２には横方向に延びる長孔３が形成されており、空気調和機本体１への吊り具２間のピッチ（各吊り具２の中心位置間の寸法）と、吊りボルト５間の天井裏ベース８に取り付けている固定箇所でのピッチとが違っている場合でも、吊り具２の長孔３内で吊りボルト５の位置をずらしてこれらのピッチが等しくなるようにすることで対応できるようになっている。
【０００４】
【発明が解決しようとする課題】
ところで、天井埋込形空気調和機は、機能的、美観的に、天井面に対して水平に据付ける必要性がある。しかし、上記従来の構成だけでは、吊り具２間のピッチと吊りボルト５間のピッチとの寸法が違う場合に、吊り具２の長孔３のどの位置に吊りボルト５を挿通させてナット６で締め付けるかは、吊りボルト５の平行や、空気調和機本体１の平行バランスを目測または実測によって位置決めしていかなければならないといった課題を有していた。また、空気調和機の小型化にともない、吊り具２間のピッチも小さくなる傾向があるが、吊り具２間のピッチと吊りボルト５間のピッチとが異なると、装着可能かどうかを一目で判断することができないという課題を有していた。
【０００５】
本発明は上記課題を解決するもので、吊り具間のピッチと吊りボルト間のピッチとの寸法が違う場合でも、天井面に対して水平になるように空気調和機を容易に設置することができ、かつ、吊りボルトに空気調和機を装着可能かどうかを容易に判断することができる天井埋込形空気調和機を提供することを目的とするものである。
【０００６】
【課題を解決するための手段】
上記課題を解決するために本発明は、空気調和機本体に取り付けられた複数の吊り具に横方向に長い長孔が形成され、各長孔毎に、天井裏の所定の固定箇所に固定された空気調和機吊り下げ用の吊りボルトがそれぞれ挿通され、前記吊りボルトと吊り具とをそれぞれ固定させることにより空気調和機が吊り下げられた姿勢で支持される天井埋込形空気調和機であって、前記吊り具や空気調和機本体の側面に、吊り具と吊りボルトとを固定する固定部分間のピッチを示す目盛りを設けたものである。
【０００７】
この構成によれば、吊り具間のピッチと吊りボルト間のピッチとの寸法が違う場合でも、天井面に対して水平になるように空気調和機を容易に設置することができ、吊りボルトに空気調和機を装着可能かどうかを容易に判断することができる。
【０００８】
【発明の実施の形態】
請求項１に記載の発明は、空気調和機本体に取り付けられた複数の吊り具に横方向に長い長孔が形成され、各長孔毎に、天井裏の所定の固定箇所に固定された空気調和機吊り下げ用の吊りボルトがそれぞれ挿通され、前記吊りボルトと吊り具とをそれぞれ固定させることにより空気調和機が吊り下げられた姿勢で支持される天井埋込形空気調和機であって、前記吊り具に、この吊り具と吊りボルトとを固定する固定部分間のピッチを示す目盛りを設けたものであり、この構成によれば、吊りボルトを吊り具の長孔に挿通した状態で、吊りボルトの挿通位置が吊りボルト間の固定箇所でのピッチ寸法に合うように吊り具の目盛りを見ながら合わせて吊りボルトと吊り具とを固定すれば、容易に空気調和機を天井面に水平な姿勢で設置することができる。
【０００９】
請求項２に記載の発明は、空気調和機本体に取り付けられた複数の吊り具に横方向に長い長孔が形成され、各長孔毎に、天井裏の所定の固定箇所に固定された空気調和機吊り下げ用の吊りボルトがそれぞれ挿通され、前記吊りボルトと吊り具とをそれぞれ固定させることにより空気調和機が吊り下げられた姿勢で支持される天井埋込形空気調和機であって、空気調和機本体の側面に、前記吊り具と吊りボルトとを固定する固定部分間のピッチを示す目盛りを設けたものであり、この構成によれば、吊りボルトを吊り具の長孔に挿通した状態で、吊りボルトの挿通位置が吊りボルト間の固定箇所でのピッチ寸法に合うように空気調和機本体の側面の目盛りを見ながら合わせて吊りボルトと吊り具とを固定すれば、容易に空気調和機を天井面に水平な姿勢で設置することができる。
【００１０】
請求項３に記載の発明は、請求項１または２に記載の発明において、目盛りは、吊り具の長孔が形成されている横方向に沿う方向に形成されているものであり、この構成によれば、目盛りを見ながら長孔内で吊りボルトを良好に移動させて調整することができる。
【００１１】
請求項４に記載の発明は、請求項１〜３の何れかに記載の発明において、目盛りに、吊り具と吊りボルトとを固定する固定部分間のピッチを具体的に示す目盛り数字部が付加されているものであり、この構成によれば、目盛り数字部を見ることにより、吊りボルトに空気調和機を装着可能かどうかを容易に判断することができる。
【００１２】
以下、本発明の実施の形態について、図面に基づき説明する。なお、従来と同機能のものには同符号を付してその説明の一部を省略する。
図１〜図３において、１は空気調和機本体であり、この空気調和機本体１の側面１ａには、この空気調和機本体１を天井裏ベース８から吊り下げるための吊り具２が複数対設けられている。この吊り具２には、横方向に長い長孔３が形成されているとともに、長孔３に沿う方向に沿って、吊り具２と吊りボルト５とを固定した際の固定部分間のピッチを示す目盛り４が記載されている。この目盛り４は対となった吊り具２の間の中心線１０を中心として線対称に記載されており、目盛り４の近傍には固定部分間のピッチ寸法を示す目盛り数字部４ａも記載されている。
【００１３】
この空気調和機を設置する場合、あらかじめ、吊りボルト５間の固定箇所（天井裏ベース８に固定している箇所）でのピッチを把握しておき、図３に示すように、吊りボルト５を吊り具２の長孔３に挿通した状態で、この長孔３における吊りボルト５の挿通位置が吊りボルト５間の固定箇所での前記ピッチ寸法に合うように吊り具２の目盛り４および目盛り数字部４ａを見ながら吊りボルト５の挿通位置を合わせ、上下よりワッシャ７をかましてナット６を締める。こうすることにより簡単に、吊りボルト５を天井箇所で各々垂直に配置して空気調和機本体１の側面１ａと平行に保つことができ、空気調和機本体１を水平で良好な姿勢に設置することができる。また、目盛り４に、ピッチを具体的に示す目盛り数字部４ａが付加されているので、吊りボルト５に空気調和機本体１を装着可能かどうかを一目で容易に判断することができる。
【００１４】
なお、吊り具２に記載する目盛り４が、目盛り数字部４ａが付加されることなく、単なる刻みだけであってもよく、目盛り４を見ながら、同じ目盛りの位置に吊りボルト５が固定されるようにすることにより、左右のバランスよく設置することが容易になることは、言うまでもない。また、目盛り４は、空気調和機本体１を取り付けた際の吊り具２の下面側に記載した場合を図示し、これによれば、下方側より組みつける際に、目盛り４を良好に見ることができるが、これに限るものではなく、吊り具２の上面側や、側面に目盛り４を記載してもよい。
【００１５】
次に、図４，図５は、本発明の他の実施の形態にかかるもので、この実施の形態においては、吊り具２と吊りボルト５とを固定した際の固定部分間のピッチを示す目盛り４が空気調和機本体１の側面１ａに記載されている。
【００１６】
この実施の形態においても、図１〜図３の実施の形態と同様の作用効果を得ることができるが、目盛り４が空気調和機本体１の側面１ａに記載しているため、吊り具２と吊りボルト５とを固定する際に、側面側から見ながら空気調和機の取付作業を行う場合には特に適している。この場合においても、吊り具２に記載する目盛り４が、目盛り数字部４ａが付加されることなく、単なる刻みだけであってもよく、目盛り４を見ながら、同じ目盛りの位置に吊りボルト５が固定されるようにすることにより、左右のバランスよく設置することが容易になることは、言うまでもない。また、目盛り数字部４ａの記載の向きを見易いような配置にしてもよい。
【００１７】
また、上記実施の形態においては、吊り具２の長孔３が外側に開口している場合を示したが、これに限るものではなく、外側に開口していない長孔にも適用できることは申すまでもない。
【００１８】
【発明の効果】
上記の実施の形態から明らかなように本発明によれば、吊り具や空気調和機本体の側面に、吊り具と吊りボルトとを固定する固定部分間のピッチを示す目盛りを設けることにより、吊りボルトの建物固定側のピッチを把握していれば、一目でその吊りボルトに吊り具が装着可能かどうかがわかり、吊りボルトピッチに相当する目盛りに合わせて吊りボルトを装着することで、容易に空気調和機を天井面に水平に設置でき、据え付け上の作業性、水平精度を向上させることができる。
【図面の簡単な説明】
【図１】本発明の実施の形態を示す天井埋込形空気調和機の斜視図
【図２】同天井埋込形空気調和機の平面図
【図３】同天井埋込形空気調和機を天井箇所に吊り下げた状態を示す側面図
【図４】本発明の他の実施の形態を示す天井埋込形空気調和機の斜視図
【図５】同天井埋込形空気調和機を天井箇所に吊り下げた状態を示す側面図
【図６】従来例を示す天井埋込形空気調和機の斜視図
【図７】同従来の天井埋込形空気調和機を天井箇所に吊り下げた状態を示す側面図
【符号の説明】
１        空気調和機本体
１ａ      側面
２        吊り具
３        長孔
４        目盛り
４ａ      目盛り数字部
５        吊りボルト
６        ナット
８        天井裏ベース
【図１】
0003599518.tif 000002
【図２】
0003599518.tif 000003
【図３】
0003599518.tif 000004
【図４】
0003599518.tif 000005
【図５】
0003599518.tif 000006
【図６】
0003599518.tif 000007
【図７】
0003599518.tif 000008